(57)【要約】      （修正有）【課題】シューズの通気性の向上。【解決手段】シューズ１は、ボディの前方の外側方向に突出している空気通路部２０と空気通路部２０に取り付けられている複数個の足の支持部３０を備える。空気通路部２０は、足甲部１２０と足首部１３０の前方の中央部分に定められた幅を有して外側方向に突出されている凸部である。空気通路部２０は、ボディの足甲部１２０から足首部１３０の方向に沿って一直線に位置している。【選択図】図１
2020032157.tif 000002
【特許請求の範囲】
【請求項１】
ユーザーの足が挿入される足の挿入スペースを備えるボディ、
上記のボディの前方に外側に突出されていて上記のボディの延長方向に沿って延長されている空気通路部、そして、
上記の空気通路部の幅方向に位置する足の支持部、を含むシューズ。
【請求項２】
上記の空気通路部と上記の足の支持部の間に位置する空気通路をさらに含む、請求項１に記載のシューズ。
【請求項３】
上記の足の支持部は複数個であり、
上記の複数個の足の支持部は上記の空気通路部の延長方向に沿って決められた間隔で位置する、請求項１に記載のシューズ。
【請求項４】
上記の複数個の足の支持部はお互いに異なる大きさを有する、請求項３に記載のシューズ。
【請求項５】
上記の足の支持部はバー（ｂａｒ）やバンド（ｂａｎｄ）の形で構成されている、請求項１に記載のシューズ。
【請求項６】
上記の足の支持部は上記の空気通路部の幅方向に位置する、請求項５に記載のシューズ。
【請求項７】
上記の足の支持部は上記の空気通路部の内部に突出されている突起の形を有する、請求項１に記載のシューズ。
【請求項８】
上記の足の支持部はバーやバンドの形で構成されていて、上記の空気通路部の幅方向に位置する第１足の支持部と上記の空気通路部の内部に突出されている突起の形を有する第２足の支持部を含む、請求項１に記載のシューズ。
【請求項９】
上記の第１足の支持部と上記の第２足の支持部は、お互いに対応されるように位置する、請求項８に記載のシューズ。
【請求項１０】
上記の足の挿入スペースの内に位置するインソールをさらに含む、請求項１に記載のシューズ。
【請求項１１】
上記のインソールは複数個の水分排出部を含む、請求項１０に記載のシューズ。
【請求項１２】
上記の複数個の水分排出部はそれぞれ上記のインソールの厚さ方向に上記のインソールを貫通する、請求項１１に記載のシューズ。
【請求項１３】
上記のインソールは上記のインソールの下部面に位置する複数個の低の突起をさらに含む、請求項１０に記載のシューズ。
【請求項１４】
上記のボディは足裏が位置する底部を含む、請求項１２に記載のシューズ。
【請求項１５】
上記のインソールと対面する上記の底部の上部面は凹部と凸部を具備する凸凹面からなる、請求項１４に記載のシューズ。
【請求項１６】
上記の凹部は上記の水分排出部と対応されるように位置する、請求項１５に記載のシューズ。
【請求項１７】
上記のボディ、上記の空気通路部および上記の足の支持部は天然ゴム、合成ゴム、または合成樹脂からなる、請求項１に記載のシューズ。
【請求項１８】
ユーザーの身体と隣接した上記の足の支持部の部分は繊維が部着されている、請求項１７に記載のシューズ。
【発明の詳細な説明】
【技術分野】
【０００１】
本発明はシューズに関するものであり、より詳しくはシューズ内で発生する汗や湿気を効果的に放出する通気性を改善したシューズに関するものである。
【背景技術】
【０００２】
人が二足歩行をしながら、足を保護するために用いられてきたシューズは科学技術の発展とともに新しい素材が開発されて、今日では家庭用、歩行用、マウンテン用、身体矯正用、特殊運動用など多様な活動に適合するようにさまざまなシューズが作られている。このようなシューズはこれを着用する人の足を保護するだけではなく、シューズを着用した状態で行う活動の利便性を追求するように作られる。
【０００３】
この際、シューズ内に挿入される人の足は、人の全身の汗穴の約２割を示す５０万個程度の汗腺の分布を形成しており、額を除いて、汗をもっとも多く分泌する部位である。
【０００４】
これにより、シューズを着用している状態で活動する場合には、通常の時より約１２倍まで多くの汗を分泌するようになる。
【０００５】
したがって、着用者の足を保護し、着用の便利性を追求することも重要であるが、通気性を確保しなければ、足から発生する熱気によりシューズ内の足の蒸れと臭いが発生するようになる。結局、シューズを構成する重要な要素の中の一つは足から発生する熱気や汗を効果的に排出することで、これによる問題を解決することだといえる。
【０００６】
このような問題を解決するために、従来には表面が露出されている外皮の側面または底面に空気が排出されることができるエア・ホールを形成することにより、インソールを通じて空気が外部に排出されることができる技術が提案されており、大韓民国登録実用新案第２０−０１９２５１０号（空気排出シューズ）、大韓民国公開特許公報第１０−２０００−００３５１１８号（エア・ホースが設置されたシューズのインソール）、および大韓民国登録特許公報第１０−０４７０７５１号（外部との空気循環が可能なシューズ）をその例として挙げられる。しかし、このような従来の技術はシューズの底面やシューズの側面を通じて通気が行われるため、地面に水が溜まっている場合には、シューズ内に水が入ってくることを逃げることができず、長シューズのような防水機能が要求されるシューズに非常に致命的な弱点として作用することができる。
【０００７】
これにより、本発明者は足の甲と足首の部分を通じて、空気が排出されるように、内皮と外皮にそれぞれ通孔が形成された二重構造のシューズを提示したことがある。これは、大韓民国登録特許公報第１０−１７３７９１０号（甲皮の部分に二重構造部を有する通気性シューズ）と大韓民国登録特許公報第１０−１７１１８８１号（舌革通気性のシューズ）、大韓民国公開特許公報第１０−２０１７−０１２２６４５号（甲皮の部分に二重構造部を有する通気性シューズ）を通じて公開されており、また、大韓民国登録特許公報第１０−１７６７８８４号（通気性長シューズの製造方法）ではこのようなシューズの製造方法を開示したことがある。
【先行技術文献】
【特許文献】
【０００８】
【特許文献１】韓国登録実用新案第２０−０１９２５１０号公報
【特許文献２】韓国公開特許第１０−２０００−００３５１１８号公報
【特許文献３】韓国登録特許第１０−０４７０７５１号公報
【特許文献４】韓国登録特許第１０−１７３７９１０号公報
【特許文献５】韓国登録特許第１０−１７１１８８１号公報
【特許文献６】韓国公開特許第１０−２０１７−０１２２６４５号公報
【特許文献７】韓国登録特許第１０−１７６７８８４号公報
【発明の概要】
【発明が解決しようとする課題】
【０００９】
本発明が解決しようとする課題はシューズの通気性を向上させるためのものである。
【００１０】
本発明が解決しようとする他の課題はシューズの曲げ現状を向上させて、ユーザーの利便性を高めるためのものである。
【課題を解決するための手段】
【００１１】
上記の課題を解決するための本発明の一つの特徴によるシューズはユーザーの足が挿入される足の挿入スペースを具備するボディ、上記のボディの前方に外側に突出されていて上記のボディの延長方向に沿って延長されている空気通路部、そして、上記の空気通路部の幅方向に位置する足の支持部を含む。
【００１２】
上記の特徴によるシューズは上記の空気通路部と上記の足の支持部の間に位置する空気通路をさらに含むことができる。
【００１３】
上記の足の支持部は複数個であることができ、上記の複数個の足の支持部は上記の空気通路部の延長方向に沿って決められた間隔で位置することができる。
【００１４】
上記の複数個の足の支持部はお互いに異なる大きさを有することができる。
【００１５】
上記の足の支持部はバー（ｂａｒ）やバンド（ｂａｎｄ）の形からなることができる。
【００１６】
上記の足の支持部は上記の空気通路部の幅方向に位置することができる。
【００１７】
上記の足の支持部は上記の空気通路部の内部に突出されている突起の形を有することができる。
【００１８】
上記の足の支持部はバーやバンドの形で構成されていて、上記の空気通路部の幅方向に位置する第１足の支持部と上記の空気通路部の内部に突出されている突起の形を有する第２足の支持部を含むことができる。
【００１９】
上記の第１足の支持部と上記の第２足の支持部は、お互いに対応されるように位置することができる。
【００２０】
上記の特徴によるシューズは上記の足の挿入スペースの内に位置するインソールをさらに備えることができる。
【００２１】
上記のインソールは複数個の水分排出部を含むことができる。
【００２２】
上記の複数個の水分排出部はそれぞれ上記のインソールの厚さ方向に上記のインソールを貫通することができる。
【００２３】
上記のインソールは上記のインソールの下部面に位置する複数個の低の突起をさらに含むことができる。
【００２４】
上記のボディは足裏が位置する底部を含むことができる。
【００２５】
上記のインソールと対面する上記の底部の上部面は凹部と凸部を具備する凸凹面からなることができる。
【００２６】
上記の凹部は上記の水分排出部と対応されるように位置することができる。
【００２７】
上記のボディ、上記の空気通路部および上記の足の支持部は天然ゴム、合成ゴム、または合成樹脂からなることができる。
【００２８】
ユーザーの身体と隣接した上記の足の支持部の部分は繊維が部着されることができる。
【発明の効果】
【００２９】
このような特徴によれば、シューズの内側に空気の通路が位置するため、シューズ内に発生する汗、熱または臭いなどの排出が迅速で効果的に行われて、ユーザーの足の健康が向上され、シューズの着用感が優れている。
【００３０】
また、通気の通路が形成された空気通路部の延長方向に沿って位置する足の支持部によりシューズに足が挿入され足の挿入スペースが限定されるので、シューズの前方の中央部分から外側に突出された空気通路部に足の挿入スペースの増加が行われない。これにより、シューズの着用の際にシューズが緩む現象が防止されて、シューズの着用感が向上される。
【００３１】
また、空気通路部はシューズのボディから延長され一体に構成されているので、空気通路部によりシューズの曲げ動作が妨げられなく、ユーザーの足の動作によって容易で柔らかくシューズの曲げ動作が行われるので、シューズの利便性が向上され、シューズの重さの減少によりシューズの着用感もよくなる。
【００３２】
これに加えて、シューズ内で発生する汗を底部側に排出されたり汗を収集するインソールが備えるので、シューズの着用感と衛生性がよくなり、足の健康も向上される。
【図面の簡単な説明】
【００３３】
【図１】図１は本発明の一実施例によるシューズの斜視図である。
【図２】図２は図１に図示したシューズの平面図である。
【図３】図３は図１のIII−III線に沿って切って得られる断面図である。
【図４】図４は図１のIV−IV線に沿って切って得られる断面図である。
【図５】図５は本発明の一実施例によるシューズをユーザーが着用した際の図１のIII−III線に沿って切って得られる断面図である。
【図６】図６は本発明の他の実施例によるシューズの一例についての断面図として、図１のIII−III線と同一な線に沿って切って得られる断面図である。
【図７ａ】図７ａは図６に図示したインソールの例を図示した平面図である。
【図７ｂ】図７ｂは図６に図示したインソールの他の例を図示した平面図である。
【図８】図８は本発明の他の実施例によるシューズの他の例についての断面図として、図１のIII−III線と同一な線に沿って切って得られる断面図である。
【図９】図９は本発明の他の実施例によるシューズのまたの他の例についての断面図として、図１のIII−III線と同一な線に沿って切って得られる断面図である。
【図１０ａ】図１０ａは図９に図示したシューズの底部に関する例を図示した平面図である。
【図１０ｂ】図１０ｂは図９に図示したシューズの底部に関する他の例を図示した平面図である。
【図１１】図１１は本発明の他の実施例によるシューズのまたの他の例についての断面図として、図１のIII−III線と同一な線に沿って切って得られる断面図である。
【図１２】図１２は本発明のまたの他の実施例によるシューズの断面図として、図１のIII−III線と同一な線に沿って切って得られる断面図である。
【図１３】図１３は図１２に図示したシューズの一例についての平面図である。
【図１４】図１４は図１２に図示したシューズの他の例についての平面図である。
【図１５】図１５は本発明のまたの他の実施例によるシューズの断面図として、図１のIII−III線と同一な線に沿って切って得られる断面図である。
【図１６】図１６は本発明のまたの他の実施例によるシューズの断面図として、図１のIII−III線と同一な線に沿って切って得られる断面図である。
【発明を実施するための形態】
【００３４】
以下、添付された図面を参考にして、本発明の実施例を詳細に説明する。本発明を説明する上で、当該分野で既に公知された技術または構成に関する具体的な説明を付加することが、本発明の要旨を不明にすることができると判断される場合には、詳細な説明では、これを一部省略するようにする。また、本明細書で用いられる用語は、本発明の実施例を適切に表現するために用いられる用語たちとして、これは、該当分野の関係者や習慣などによって異なる場合がある。したがって、本用語の定義は、本明細書の全般にわたった内容に基づき定まられるべきである。
【００３５】
ここで用いられる専門用語は、単に特定の実施例を言及するためのものであり、本発明を限定することを意図していない。ここで用いられる単数形は、フレーズがこれと明らかに反対の意味を示さない限り、複数形も含む。
【００３６】
明細書で用いられる「含む」の意味は、特定の特性、領域、整数、段階、動作、要素、および／または成分を具体化し、他の特定の特性、領域、整数、段階、動作、要素、成分、および／または群の存在や付加を除外するものではない。
【００３７】
以下、添付した図面を参照して、本発明の実施例によるシューズについて詳細に説明する。
【００３８】
まず、図１ないし図５を参考にして、発明の一実施例によるシューズについて説明する。
【００３９】
本発明の一実施例によるシューズ１は、ボディ１０は、ボディ１０の前方の外側方向に突出している空気通路部２０と空気通路部２０に取り付けられている複数個の足の支持部３０を備える。
【００４０】
ボディ１０は、ユーザー２００の足が挿入されて、ユーザー２００の足に着用されている部分であって、底部１１０、底部１１０と連結されている足甲部１２０及び足甲部１２０と連結されている足首部１３０を備える。
【００４１】
底部１１０は、ユーザー２００の足裏が位置する部分であって、シューズの着用の際にユーザーの足裏と接する。
【００４２】
足甲部１２０は、ユーザー２００の足甲を包み込む部分であって、底部１１０と足甲部１２０で囲包されているスペースの内にユーザー２００の足が挿入されてシューズの着用が行われる。
【００４３】
足首部１３０は、足甲部１２０の端部とシームレスに連結されて、ユーザー２００の胴体側に突出される部分で、足首部１３０の突出長さに応じて、ユーザーの足首だけでなく、足の一部も本例のシューズ１の内に着用される。
【００４４】
このとき、足首部１３０が省略されたり、足首部１３０の突出長さは調節することができ、これらの足首部１３０の省略や突出長さの調整により、様々な種類のシューズが製造される。
【００４５】
空気通路部２０は、足甲部１２０と足首部１３０の前方の中央部分に定められた幅Ｗ２０を有して外側方向に突出されている凸部である。
【００４６】
これらの空気通路部２０は、ボディ１０の足甲部１２０から足首部１３０の方向に沿って一直線に位置している。
【００４７】
この際に、空気通路部２０は、底部１１０と足甲部１２０の連結部分に位置して足の指が、主に位置するシューズ１のトゥキャップ部分１２１の上部部分、すなわち足甲の先頭部分と対応している足甲部１２０の部分（つまり、足甲の先頭部分１２２）から足首部１３０の端部までシームレスに同じ方向に沿って一直線に伸びている。本例では、トゥキャップ部分１２１は、足甲部１２０の一部になる。
【００４８】
この際に、空気通路部２０の幅Ｗ２０は、高さに関係なく同一であることができ、シューズ１を着用したユーザー２００の不便さと美観を損なわずシューズ１の内で発生した熱や汗の排出が効率的に行われる程度の大きさならいい。例えば、空気通路部２０の幅Ｗ２０は０．５ｃｍないし２ｃｍであることができる。
【００４９】
空気通路部２０の突出高さＨ２０は、同じ高さで幅方向に沿ってお互いに異なることができる。つまり、空気通路部２０の内部面と外部面の平面形状が図２に示したように、角度の付いた形状ではなく、曲面で構成されているので、同じ高さで空気通路部２０は、中央部分の突出高さＨ２０が縁の部分の突出高さＨ２０より大きくすることができる。
【００５０】
本例で、突出高さＨ２０は、足甲の先頭部分１２２から足首部１３０に向かって延長され、隣接する空気通路部２０の内部面と同じ距離で離隔されるように延長される仮想の線Ｌ１で空気通路部２０の内部面までの最短距離であり、空気通路部２０の幅Ｗ２０は、幅方向にお互いに反対側で対面している空気通路部２０の内部面の両側面との間の最短距離であることができる。
【００５１】
したがって、図３に示したように、空気通路部２０は、ボディ１０の前方の中央部分に定められた幅Ｗ２０を有して外側方向に突出されており、ユーザー２００の胴体側に延長されているボディ１０の延長方向に沿ってボディ１０の端部まで延長されている。
【００５２】
複数個の足の支持部３０は、シューズ１の内に挿入されているユーザー２０の足と脚の部分を安全かつ便利に支持するための部分であって、空気通路部２０の内部面の両側面との間にそれぞれ位置し、空気通路部２０の延長方向（つまり、幅方向の反対方向であって、足甲部１２０から足首部１３０に向かっての方向）に従って離隔されるように配列されている。
【００５３】
これらの足の支持部３０は、バー（ｂａｒ）形状やバンド（ｂａｎｄ）形状と同じ形状とサイズを有することができるが、位置する位置に応じて、足の支持部３０の形状とサイズの少なくとも一つは、異なることができる。位置により形状とサイズの少なくとも一つが異なる場合、足の支持部３０の形状とサイズは、足の支持部３０の接するユーザーの身体形状に応じて定められることができる。
【００５４】
したがって、足の支持部３０の一側面は、空気通路部２０の内部面の一側面と連結されており、足の支持部３０の他側面は、空気通路部２０の内部面の他側面と連結されており、各足の支持部３０は、空気通路部２０の幅方向に並んで位置する。
【００５５】
この際、２つの隣接足の支持部３０は、同一の間隔で離隔されており、複数個の足の支持部３０は、空気通路部２０の延長方向に沿って一定の間隔で離隔されることができる。
【００５６】
しかし、代替的な例では、隣接する二つの足の支持部３０の離隔距離は異なることができる。このような場合には、図１に図示したように、複数個の足の支持部３０は、空気通路部２０の延長方向に沿って一定に位置する代わりに、定められた特定の位置にのみ位置することができる。
【００５７】
例えば、複数個の足の支持部３０は、ユーザーの足甲の部分と対応している空気通路部２０の部分のユーザーの脚の部分と対応している空気通路部２０の部分に定められた間隔で離隔されるように位置し、足の曲げ現象が主に発生する足首部分に対応する空気通路部２０の部分には、足の支持部３０が位置しないことができる。この際に、足の支持部３０が位置している部分での離隔距離は、同一であることができる。
【００５８】
このように、空気通路部２０の定められた特定の位置でのみ、複数個の足の支持部３０が位置する場合、複数個の足の支持部３０は、シューズ１の内に位置している足の不快感を最小限にするために、すでに記述したように、空気通路部２０からのシューズ１の曲げ動作が主に行われる部分、すなわち足首部分に対応する部分には、足の支持部３０が位置しないことができる。
【００５９】
このように、定められた特定の位置に複数の足の支持部３０が位置する場合、シューズ１の活動性が向上し、シューズ１の足首部分の折り畳み動作の際に足の支持部３０と皮膚との接触による皮膚の損傷が防止される。
【００６０】
このように、空気通路部２０の延長方向に沿って複数個の足の支持部３０が位置することによって、各足の支持部３０が位置している空気通路部２０の開放された部分は、足の支持部３０によって詰まるようになり、足甲部１２０と足首部１３０で囲包されている空間と分離される。
【００６１】
したがって、下部と側部は、ボディ１０の底部１１０、足甲部１２０、足首部１３０及び空気通路部２０によって囲包されていて、上部が開放されているシューズ１の内のスペースは、底部１１０、足甲部１２０、足首部１３０及び複数個の足の支持部３０によって囲包されたスペースＳ１０と、空気通路部２０と、複数個の足の支持部３０によって囲包されたスペースＳ１０に分けられる。
【００６２】
この際に、スペースＳ１０は、ユーザー２００の足が挿入される足の挿入スペースであり、スペースＳ１０は、シューズ１の内部と外部との空気の流れが行われる空気通路になるので、空気通路部２０と足の支持部３０との間に空気通路Ｓ２０が形成される。
【００６３】
この際、空気通路Ｓ２０は、足の支持部３０が位置する部分では、ユーザーの足が挿入されるボディ１０の足の挿入スペースＳ１０と分離されるが、足の支持部３０が位置しない部分では、足の挿入スペースＳ１０とつながっており、足の挿入スペースＳ１０は、空気通路Ｓ２０を介して外部と通じるようになる。
【００６４】
したがって、このような空気通路２０の形成のために、シューズ１の内の外部との間の空気の流れが構成されてシューズ１の内で発生する熱や汗が空気通路Ｓ２０を介して速やかに外部に排出されてシューズ１の内の環境を快適にしてくれる。
【００６５】
また、シューズ１のボディ１０から外側に突出されている空気通路部２０を幅方向に横切るように、それぞれ位置する複数個の足の支持部３０が位置することにより、図５に示したように、実質的にユーザー２００の足が挿入されて位置する足の挿入スペースＳ１０は、すでに述べたように、ボディ１０と、複数個の足の支持部３０によって囲包された空間である。
【００６６】
したがって、足の挿入スペースＳ１０に足が挿入されると、シューズ１の前方の部分に位置するユーザー２００の足甲とすねは複数個の足の支持部３０によって位置が限定されるので、ボディ１０の外側部分に突出された空気通路部２０により、足の挿入スペースＳ１０が増加するという問題が防止される。
【００６７】
これにより、空気通路部２０の形成にもかかわらず、空気通路部２０による足の挿入スペースＳ１０は増加しないので、ユーザー２００の足と脚のサイズに接合するように足の挿入スペースＳ１０のサイズが決まって空気通路部２０により、シューズ１の着用感が落ちる問題が発生しない。
【００６８】
このような本例のシューズ１でボディ１０、空気通路部２０と足の支持部３０は、すべて同じ材料からなることができ、天然ゴム、合成ゴムまたは合成樹脂のような材質からなることができる。
【００６９】
例えば、非毒性であり、耐化学性に優れ、絶縁性に優れたポリエチレン（ＰＥ）、耐光性・耐薬品性に優れ、電気絶縁性に優れたポリ塩化ビニル（ｐｏｌｙｖｉｎｙｌ  ｃｈｌｏｒｉｄｅ；  ＰＶＣ）、非粘着性であり、非油性および高い絶縁性を有する熱可塑性ゴム、耐寒性、および酸やアルカリ成分に強いＴＰＲ（Ｔｈｅｒｍｏｐｌａｓｔｉｃ  Ｒｕｂｂｅｒ）、耐熱性に優れ、低温でも柔軟性が優れたＳＢＳ（Ｓｔｙｒｅｎｅ  ｂｕｔａｄｉｅｎｅ  Ｓｔｙｒｅｎｅ）、ＳＥＢＳ（Ｓｔｙｒｅｎｅ  ｅｔｈｙｌｅｎｅ  ｂｕｔｙｌｅｎｅ  Ｓｔｙｒｅｎｅ）またはＥＰＤＭ（ｅｔｈｙｌｅｎｅ  ｐｒｏｐｙｌｅｎｅ  ｄｉｅｎｅ  Ｍ−ｃｌａｓｓ）からなることができる。
【００７０】
この他にもボディ１０、空気通路部２０と足の支持部３０は、ＳＥＰＳ（Ｓｔｙｒｅｎｅ  ｅｔｈｙｌｅｎｅ  ｐｒｏｐｙｌｅｎｅ  Ｓｔｙｒｅｎｅ）、ＳＥＥＢＳ、ＳＥＥＰＳ（Ｓｔｙｒｅｎｅ−ｅｔｈｙｌｅｎｅ−ｅｔｈｙｌｅｎｅ／ｐｒｏｐｙｌｅｎｅ−Ｓｔｙｒｅｎｅ）、ＥＶＡ（ｅｔｈｙｌｅｎｅ  ｖｉｎｙｌ  ａｃｅｔａｔｅ）、ＴＰＵ（ｔｈｅｒｍｏｐｌａｓｔｉｃ  ｐｏｌｙｕｒｅｔｈａｎｅ）、ＰＵ（ｐｏｌｙｕｒｅｔｈａｎｅ）、ＰＳ（ｐｏｌｙｓｔｙｒｅｎｅ）、ＰＰ（ｐｏｌｙｐｒｏｐｙｌｅｎｅ）、ＴＰＯ、ＴＰＶ（熱可塑性硬化ゴム）などのゴムや発泡樹脂からなることもできる。
【００７１】
代替的な例で、ボディ１０の底部１２０は、ボディ１０の他の部分１２０、１３０と異なる材料からなることができ、この場合も底部１２０、足甲部１２０及び足首部１３０は、天然ゴムや合成ゴム、または合成樹脂のような材質からなることができる。
【００７２】
他の例で、ボディ１０と空気通路部２０は、お互いに同一の材料で構成されているが、足の支持部３０の一部は、ボディ１０と空気通路部２０と、他の材料からなることができる。この場合、ボディ１０と空気通路部２０は、天然ゴムや合成ゴム、または合成樹脂のような材質からなるが、ユーザーの身体に隣接して、皮膚との接触が行われる足の支持部３０の部分は繊維などが付け加えた形態になって、それ以外の部分の足の支持部３０は、ボディ１０と同じ材料からなることができる。
【００７３】
本例で、足の支持部３０の数は、複数個であるが、これとは異なり一つであることもできる。
【００７４】
次に、図６ないし図１６を参考にして、本発明の他の実施例によるシューズ１ａ−１ｆを説明する。
【００７５】
本実施例では、図１ないし図５に示したシューズ１と比べて、同一の構造を有して同じ機能を実行する構成要素については、図１ないし図５に示したシューズ１と同一の符号を付与し、それについての詳細な説明は省略する。
【００７６】
まず、図６ないし図７ｂを参考にして、本発明の他の実施例による一例のシューズ１ａを説明する。
【００７７】
図１ないし図５に示したシューズ１と比べて、本発明の他の実施例によるシューズ１ａは、ボディ１０の底部１１０に位置するインソール５０をさらに備える。
【００７８】
したがって、図６に示したように、本例に他のシューズ１ａは、底部１１０、足甲部１２０及び足首部１３０を備えたボディ１０は、ボディ１０の前方の中央部分に外側に突出されるように位置している空気通路部２０、空気通路部２０の延長方向に沿って位置されている複数個の足の支持部３０と底部１１０と接するように位置されているインソール５０を備える。
【００７９】
これらのインソール５０は、底部１１０の形状と実質的に同一の形状を有しており、またシューズ１ａの足の挿入スペースＳ１０を取り囲んでいる底部１１０の内に位置するので、底部１１０のサイズよりも小さいサイズを有する。
【００８０】
本例で、インソール５０は、図７ａ及び図７ｂのような水分排出部５１を備えることができる。
【００８１】
この際に、水分排出部５１は、インソール５０の厚さ方向にインソール５０を完全に貫通する穴の形であるか、インソール５０を完全に貫通せずにインソール５０の表面に形成された溝の形であることができる。
【００８２】
インソール５０に形成された水分排出部５１の形状は、例えば、図７ａのように直線状であるか、図７ｂのような円形の形状であることができるが、これに限定されず、これらの直線や円形以外にも、三角形や四角形のような多角形や楕円形状、波形状など多様な形状を有することができ、すべてが同じ形状とサイズを有することができたり、さまざまなサイズと形状を有することができる。
【００８３】
また、本例のインソール５０は、底部１１０に着脱可能に位置するので、ユーザーの必要に応じて足の挿入スペースＳ１０の内に位置したり、足の挿入スペースＳ１０、外部に取外しすることができる。したがって、ユーザーはインソール５０をシューズ１ａから分離して別々に洗濯することができる。
【００８４】
これらのインソール５０は、天然ゴムや合成ゴム、または合成樹脂のような弾性力を有する材料からなることができ、ユーザーの足裏と接する面には繊維が追加で付着されることができる。
【００８５】
これらのインソール５０がシューズ１ａに加えて備えられる場合、シューズ１ａを着用したユーザー２００の足に加わる衝撃の大きさが大きく緩和され足の保護機能がさらに強化され、ユーザー２００の満足度が向上される。
【００８６】
さらに、インソール５０に形成された水分排出部５１によって足裏から排出される汗は水分排出部５１を介して底部１１０に向かって排出されたり、水分排出部５１に形成された溝に溜まるようになる。したがって、シューズ１ａの着用感が向上し、汗から足を保護することになる。
【００８７】
また、水分排出部５１が穴の形になる場合、底部１１０に排出された汗は気化されて空気通路部２０を介して外部に速やかに排出され、ユーザーの足で発生する熱も水分排出部５１と、空気通路部２０を介して速やかに外部に排出される。
【００８８】
このように、シューズ１ａがインソール５０をさらに備えている場合、図６に示したシューズ１ａでインソール５０と接している底部１１０の該当の内部面（つまり、上部面）は、平坦面を有している。
【００８９】
しかし、図８及び図９に示した本実施例による他の例によるシューズ１ｂにおいて、ボディ１０ｂの底部１１０ｂの内部面は平坦面ではなく、凹凸面を有しており、この点を除けば、図８及び図９に示したシューズ１ｂは、図６に示したシューズ１ａと同じ構造を有する。このような本例のインソール５０に形成された水分排出部５１は、インソール５０を厚さ方向に貫通する穴の形を有する。
【００９０】
また、図８と図９に示したシューズ１ｂをお互いに比べると、そのシューズ１ｂの底部１１０ｂの内部面に形成された凹凸の形状がお互いに異なる。
【００９１】
すなわち、図８の場合、底部１１０ｂの内部面に形成された凹部１１１と凸部１１２は、半円のような曲面を有しているのに対し、図９の場合に底部１１０ｂの内部面に形成された凹部１１１と凹部１１２は、長方形のような角ばった面を有している。
【００９２】
この際に、図９のシューズ１ｂの底部１１０ｂの内部面に形成された凹凸面の例は、図１０ａに示すような格子の形で構成されて正方形の凹部１１１が形成されたり図１０ｂに示すようにハニカム形状で構成されて六角形の凹部１１１が形成されることができる。
【００９３】
しかし、図８及び図９に示した底部１１０ｂの凹凸形状は、一例として、様々な形状の凹凸形状を有することができる。
【００９４】
この際に、底部１１０ｂに形成された凹部１１１は、水分排出部５１と対面する位置に形成される。
【００９５】
このように、インソール５０と接している底部１１０ｂの内部面が凹部１１１と凸部１１２を備えた凹凸面からなるので、インソール５０は、底部１１０ｂの凸部１１２とは接しているが凹部１１１と接していないので底部１１０ｂとインソール５０との間、すなわち、水分排出部５１と凹部１１１との間には空きスペースが存在する。
【００９６】
一般的に、床と接するシューズの底部はユーザー２００の足裏の曲げに沿ってつま先の部分、中足骨及びかかと部分が床に密着され、中足骨とかかとの間のアーチ（ａｒｃｈ）の部分は床と接しない構造を有するようになる。
【００９７】
また、シューズを間に置いて、床と接するつま先、中足骨及びかかと部分も同時に床に接触されず、ユーザー２００の歩行形態や運動過程に応じて順番に床と接する。
【００９８】
したがって、シューズ１ｂの底部１１０ｂは、部分的に床との接触および非接触が交互に行われるので、水分排出部５１を介して底部１１０の凹部１１１に汗などのような水分が溜まるようになり、溜まった水分は、時間の経過に応じて気化され、床と接していないインソール５０と底部１１０ｂとの間の空きスペースに沿って移動して空気通路Ｓ２０を介して外部に排出される。
【００９９】
これにより、凹凸面である底部１１０ｂにより、インソール５０の水分排出部５１を通過した水分は、凹凸面の凹部１１１に効率的に集められ、インソール５０と底部１１０ｂとの間に形成された空間を介して水分の蒸発が効率的に行われるので、汗の排出効果はさらに向上される。
【０１００】
また、インソール５０で底部１１０ｂに向かって排出された汗は水分排出部５１と凹部１１１との間の空きスペースの中に位置するので底部１１０ｂ側に向かって排出された汗が再びインソール５０に向かって流入されることが防止される。
【０１０１】
加えて、既に記述したように、底部１１０ｂの平坦面によってインソール５０と底部１１０ｂとの間には、お互いに圧着されていないスペースが存在するので、ユーザー２００は、破れのようなインソールを損なうことなく安全かつ簡単にインソール５０をシューズ１ｂの中で分離することができ、インソール５０の寿命は延長される。
【０１０２】
図１１に示した本実施例による他の例のシューズ１ｃは、図８及び図９とは異なり、インソール５０ｃと接しているボディ１０の底部１１０の内部面は、図６のように平坦面を有するのに対し、底部１１０と接しているインソール５０ｃの該当面（つまり、下部面）に複数個の底の突起５２が取り付けられている。したがって、このような複数個の底の突起５２によって、インソール５０ｃの下部面は、凹凸面を有する。
【０１０３】
この際に、底の突起５２は、穴の形で行われた、隣接する水分排出部５１との間に位置する。底の突起５２のサイズ、位置、および形状は、水分排出部５１のサイズ、位置、および形状に応じて定められることができる。
【０１０４】
このように、インソール５０ｃの下部面に複数個の底の突起５２が付着されることを除けば、図１１のシューズ１ｃは、図６に示したシューズ１ａと同じ構造を有する。
【０１０５】
これらの複数の底の突起５２により、底部１１０の内部面はほとんど対応するインソール５０ｃの底の突起５２と接するようになるので、インソール５０ｃと底部１１０との間［つまり、水分排出部５１と、これに対応する底部１１０の内部面の間］に空きスペースが形成される。したがって、すでに述べたように、インソール５０ｃと底部１１０との間に形成された空きスペースによって水分排出部５１を介して排出された汗の排出効果も大幅に向上され、底部１１０側に向かって排出された汗が再びインソール５０ｃに向かって流入される現象が防止される。また、底部１１０に圧着されていないインソール５０ｃの部分が存在して、インソール５０ｃの寿命も増加する。
【０１０６】
図９ないし図１１に示した例で、底部１１０ｂの内部面とインソール５０ｃの下部面のいずれか一つが凹凸面を有するが、これに限定されず、底部１１０ｂの内部面とインソール ５０ｃの下部面のすべて凹凸面を有することができる。このような場合、底部１１０ｂの内部面とインソール５０ｃの下部面にそれぞれ形成された凸部がお互いに対応するように位置して、インソール５０、５０ｃに形成された穴の形の水分排出部５１と凹部の間に空きスペースが形成されるようにする。
【０１０７】
次に、図１２ないし図１４を参考にして、本発明の他の実施例によるシューズ１ｄについて説明する。
【０１０８】
図１ないし図４に示したシューズ１と比べると、図１２及び図１３に示したシューズ１ｄは、足の支持部３０ａを除けば、図１ないし図４のシューズ１と同じ構造を有する。
【０１０９】
したがって、図１２及び図１３のシューズ１ｄも底部１１０、足甲部１２０と足首部１３０を備えるボディ１０は、ボディ１０の前方の外側方向に突出している空気通路部２０と空気通路部２０に取り付けられている複数個の足の支持部３０ａを備える。
【０１１０】
この際、複数個の足の支持部３０ａは、空気通路部２０の内部面の両側面との間にそれぞれ位置する代わりに、空気通路部２０の内部面に一定の間隔で離隔されるように、空気通路部２０の延長方向に沿って位置する。
【０１１１】
各足の支持部３０ａは、長方形または円形のような一定の断面形状を有しており、空気通路部２０の内部面から足の柱の形で構成されており、足の挿入スペースＳ１０に向かって突出されている突起で構成されている。
【０１１２】
したがって、空気通路Ｓ２０は、空気通路部２０の内部面と各足の支持部３０ａの端部の先端を仮想の線で連結した仮想線Ｌ１ａとの間の空間であり、足の挿入スペースＳ１０は、仮想線Ｌ１ａ、底部１１０、足甲部１２０、足首部１３０によって囲包された空間である。
【０１１３】
この際、各足の支持部３０ａの突出高さは取り付け位置により異なっており、長さＬ４０も装着位置に応じて異なって、各足の支持部３０ａの形状は、接する身体の形状に応じて定められることができる。
【０１１４】
また、空気通路部２０の延長方向に離隔されている足の支持部３０ａの離隔距離を同じであるが、位置に応じて異なる可能性があり、シューズの曲げ動作などに対するシューズ１ｄの活動性を高めることができる。
【０１１５】
各足の支持部３０ａの表面、すなわち、身体と接する面は、繊維が付着することができる。
【０１１６】
これらの足の支持部３０ａは、ボディ１０と同じ材料からなることができる。
【０１１７】
図１２及び図１３に、空気通路部２０の該当位置に１つの足の支持部３０ａが位置するが、これに限定されず、図１４に示したように、代替的な例で、空気通路部２０の同じ高さには、空気通路部２０の幅方向に離隔されている複数個の足の支持部３０ａが位置することができる。この際、幅方向に並んで位置する足の支持部３０ａの数は、位置に応じて異なることができ、足首部分と隣接する空気通路部２０には、幅方向に一つの足の支持部３０ａが位置するが足甲とふくらはぎに隣接した空気通路部２０には、幅方向に複数個の足の支持部３０ａが位置することができる。
【０１１８】
これらの突起形状の足の支持部３０ａは、図１ないし図４に図示した足の支持部３０と一緒に用いることができる。
【０１１９】
すなわち、図１５に示したシューズ１ｅで、図１に示した足の支持部３０に対応されるように空気通路部２０の内部面から足の挿入スペースＳ１０に向かって突出されている複数個の突起３０ａが位置する。
【０１２０】
したがって、バンドやベルトの形で構成された足の支持部３０は、第１足の支持部であり、突起の形で構成された足の支持部は、第２足の支持部であることができる。これにより、各第１足の支持部３０と、各第２足の支持部３０ａは、お互いに対面している。
【０１２１】
このように、第１および第２足の支持部３０、３０ａが空気通路部２０の延長方向に沿って離隔されるように位置する場合、第１および第２足の支持部３０、３０ａによる足と脚の支持機能が向上され、シューズ１ｅの活動性と利便性が向上される。
【０１２２】
この場合にも、同じ高さに位置する第２足の支持部３０ａは、空気通路部２０の幅方向に離隔されている複数個の足の支持部３０ａが存在することができる。
【０１２３】
また、図１６に示した他のシューズ１ｆのように、空気通路部２０の位置により、バンドやベルト状の第１足の支持部３０や突起の形態の第２足の支持部３０ａが混在することができる。
【０１２４】
このような場合、足の支持部３０、３０ａと隣接する身体の形に応じて、第１または第２足の支持部３０、３０ａが用いられることができる。
【０１２５】
図１２ないし図１６に示したシューズ１ｄから１ｆの場合にも、図６、図８及び図１１に示したインソール５０、５０ｃが適用されることは当然である。本発明では、床と直接接するシューズ１、１ａないし１ｆの底部１１０、１１０ｂの下部面は、平坦面で示されているが、これに限定されず、滑り止めなどのために、様々な形状に構成された凹凸を備えた凹凸面であることができる。
【０１２６】
以上、本発明のシューズの実施例について説明した。本発明は、上述した実施例及び添付した図面に限定されるものではなく、本発明が属する分野における通常の知識を有する者の観点から、様々な修正や変形が可能である。したがって、本発明の範囲は、本明細書の請求の範囲だけでなく、この特許請求の範囲と均等なものによって定められなければならない。
【符号の説明】
【０１２７】
１、１ａ〜１ｆ：シューズ
１０、１０ｂ：ボディ
２０：空気通路部
３０、３０ａ：足の支持部
１１０、１１０ｂ：底部
１２０：足甲部
１３０：足首部
１１１：凹部
１１２：凸部
５０：インソール
５１：水分排出部
５２：底の突起
Ｓ１０：足の挿入スペース
Ｓ２０：空気通路
【図１】
2020032157.tif 000003
【図２】
2020032157.tif 000004
【図３】
2020032157.tif 000005
【図４】
2020032157.tif 000006
【図５】
2020032157.tif 000007
【図６】
2020032157.tif 000008
【図７ａ】
2020032157.tif 000009
【図７ｂ】
2020032157.tif 000010
【図８】
2020032157.tif 000011
【図９】
2020032157.tif 000012
【図１０ａ】
2020032157.tif 000013
【図１０ｂ】
2020032157.tif 000014
【図１１】
2020032157.tif 000015
【図１２】
2020032157.tif 000016
【図１３】
2020032157.tif 000017
【図１４】
2020032157.tif 000018
【図１５】
2020032157.tif 000019
【図１６】
2020032157.tif 000020